(57)【要約】【課題】再生機器の電源投入時に、ネットワーク上の受信装置に指示を与えて、ラストチャンネルを受信させて、再生・表示させる。【解決手段】  チャンネル選局要求に基づくチャンネルを選局して得たストリームを送出する１つ以上のストリーム送出装置から所定のネットワークを介して送出された前記ストリームを取り込んで再生する再生手段と、前記再生手段の電源オフ直前における前記ストリームの送出元である前記ストリーム送出装置のアドレスを記憶する記憶部と、前記再生手段の電源投入後において、前記記憶部から読み出した前記アドレスを宛先として前記ストリーム送出装置の状態を検出する状態検出手段とを具備したことを特徴とする。【選択図】図１
2009124432.tif 000002
【特許請求の範囲】
【請求項１】
チャンネル選局要求に基づくチャンネルを選局して得たストリームを送出する１つ以上のストリーム送出装置から所定のネットワークを介して送出された前記ストリームを取り込んで再生する再生手段と、
前記再生手段の電源オフ直前における前記ストリームの送出元である前記ストリーム送出装置のアドレスを記憶する記憶部と、
前記再生手段の電源投入後において、前記記憶部から読み出した前記アドレスを宛先として前記ストリーム送出装置の状態を検出する状態検出手段と
を具備したことを特徴とするコンテンツ再生装置。
【請求項２】
チャンネル選局要求に基づくチャンネルを選局して得たストリームを送出する１つ以上のストリーム送出装置から所定のネットワークを介して送出された前記ストリームを取り込んで再生する再生手段と、
前記再生手段の電源オフ直前における前記ストリームの送出元である前記ストリーム送出装置のアドレス及び選局チャンネルの情報を記憶する記憶部と、
前記再生手段の電源投入後において、前記記憶部から読み出した前記アドレスを宛先として、前記記憶部から読み出した前記選局チャンネルの情報に基づくチャンネル選局要求を発生する選局手段と
を具備したことを特徴とするコンテンツ再生装置。
【請求項３】
チャンネル選局要求に基づくチャンネルを選局して得たストリームを送出する１つ以上のストリーム送出装置から所定のネットワークを介して送出された前記ストリームを取り込んで再生する再生手順と、
前記再生手段の電源オフ直前における前記ストリームの送出元である前記ストリーム送出装置のアドレスを記憶する記憶手順と、
前記再生手段の電源投入後において、前記記憶部から読み出した前記アドレスを宛先として前記ストリーム送出装置の状態を検出する状態検出手順と
を具備したことを特徴とするコンテンツ再生方法。
【発明の詳細な説明】
【技術分野】
【０００１】
本発明は、ネットワーク接続されたオーディオ・ビデオ機器に好適なコンテンツ再生装置及びコンテンツ再生方法に関する。
【背景技術】
【０００２】
近年、デジタル家電機器の普及に伴い、一般家庭におけるホームネットワークが普及しつつある。種々の機器相互間で、デジタルデータの転送を可能にすることで、デジタルデータを統合して扱えるようになり、利便性を向上させることができる。例えば、ネットワーク上に、オーディオ機器やビデオ機器等を接続してデータを伝送させることも可能である。
【０００３】
多様化した放送サービスに伴い、各サービス毎のコンテンツを受信するために１台以上の受信機器がネットワーク上に設けられることもある。また、ネットワーク上に設けられた受信機器からのストリームが転送されて、再生及び表示を行う再生機器がネットワーク上に複数台設けられることもある。各再生機器は、受信機器及び受信チャンネルを指定することで、所望の受信機器によって受信した所望のチャンネルの番組を、再生して映出することが可能である。
【０００４】
このような受信機器及び再生機器においては、電源のオン，オフは個別に管理されている。このため、再生機器の電源投入を行った場合でも、受信機器の電源がオフの場合があり、受信機器において電源投入作業を行わなければ、コンテンツの視聴を行うことができないことがある。
【０００５】
ところで、テレビジョン受信機においては、電源オフ時の状態を記憶しており、電源投入時においては、電源オフ直前の受信チャンネルでの視聴を行うことが可能である。例えば、特許文献１においては、ビデオ表示装置において、停電が発生した際の共通パラメーターのバックアップを用意し、電力の回復後、停電前に不揮発性メモリに記憶された信号に従って、共通パラメーターを更新する技術が開示されている。
【０００６】
しかしながら、受信機器からのストリームが転送されて再生を行う再生機器においては、電源投入時の受信（再生）チャンネルは電源オフ直前のチャンネルになるとは限らない。例えば、ネットワーク上に複数台の再生機器が存在する場合等においては、受信機器の受信チャンネルが、他の再生機器によって他のチャンネルに切換えられることがある。この場合には、再生機器の電源投入時に、再生機器の電源オフ時の受信（再生）チャンネルとは異なるチャンネルのコンテンツが表示されてしまう。
【特許文献１】特表２００５−５２４３５０号公報
【発明の開示】
【発明が解決しようとする課題】
【０００７】
このように、従来、ネットワークに接続された受信機器及び再生機器を有するシステムにおいて、受信機器からのストリームを再生して、コンテンツの視聴を可能にする再生機器の電源投入時においては、電源オフ時の受信チャンネルとは異なるチャンネルのコンテンツが表示されることがあるという問題点があった。また、再生機器の電源投入時において受信機器の電源がオフの場合があり、この場合には受信機器において煩雑な電源投入作業を行う必要があるという問題点もあった。
【０００８】
本発明は、電源オフ時にストリームの供給機器に関する状態を記憶し、電源投入時においてストリームの供給機器の電源投入を制御すると共に記憶した状態に基づいて受信チャンネルを制御することができるコンテンツ再生装置及びコンテンツ再生方法を提供することを目的とする。
【課題を解決するための手段】
【０００９】
本発明に係るコンテンツ再生装置は、チャンネル選局要求に基づくチャンネルを選局して得たストリームを送出する１つ以上のストリーム送出装置から所定のネットワークを介して送出された前記ストリームを取り込んで再生する再生手段と、前記再生手段の電源オフ直前における前記ストリームの送出元である前記ストリーム送出装置のアドレスを記憶する記憶部と、前記再生手段の電源投入後において、前記記憶部から読み出した前記アドレスを宛先として前記ストリーム送出装置の状態を検出する状態検出手段とを具備したものであり、
また、本発明に係るコンテンツ再生装置は、チャンネル選局要求に基づくチャンネルを選局して得たストリームを送出する１つ以上のストリーム送出装置から所定のネットワークを介して送出された前記ストリームを取り込んで再生する再生手段と、前記再生手段の電源オフ直前における前記ストリームの送出元である前記ストリーム送出装置のアドレス及び選局チャンネルの情報を記憶する記憶部と、前記再生手段の電源投入後において、前記記憶部から読み出した前記アドレスを宛先として、前記記憶部から読み出した前記選局チャンネルの情報に基づくチャンネル選局要求を発生する選局手段とを具備したものである。
【発明の効果】
【００１０】
本発明によれば、電源オフ時にストリームの供給機器に関する状態を記憶し、電源投入時においてストリームの供給機器の電源投入を制御すると共に記憶した状態に基づいて受信チャンネルを制御することができるという効果を有する。
【発明を実施するための最良の形態】
【００１１】
以下、図面を参照して本発明の実施の形態について詳細に説明する。図１は本発明の一実施の形態に係るコンテンツ再生装置を示すブロック図である。
【００１２】
先ず、図３を参照して本実施の形態に係るコンテンツ再生装置を含むコンテンツ視聴システムの構成を説明する。受信装置３２，３４とコンテンツ再生装置３７とは、所定のネットワークに接続されている。図３の例では、受信装置３２，３４及びコンテンツ装置３７が、ＬＡＮ規格に対応したケーブル３６及び中継装置３９を介して接続されている例を示している。
【００１３】
受信装置３２はアンテナ３３を介して受信した放送信号を受信し、ユーザ操作に基づくチャンネルを選局して、コンテンツのストリームを出力することができるようになっている。同様に、受信装置３４はアンテナ３５を介して受信した放送信号を受信し、ユーザ操作に基づくチャンネルを選局して、コンテンツのストリームを出力することができるようになっている。コンテンツ再生装置３７は、ネットワークに接続された受信装置３２，３４のうちコンテンツのストリームを取り込む機器を指定し、指定した機器からのコンテンツのストリームを再生するようになっている。コンテンツ再生装置３７は表示装置３８に再生したコンテンツを映出させると共に、図示しないスピーカを介してコンテンツの音響を出力させる。
【００１４】
なお、図３の例では２台の受信装置及び１台のコンテンツ再生装置が接続されている例を示したが、受信装置及びコンテンツ再生装置等の接続台数は特に制限されるものではない。また、中継装置３９には、複数の記録機器、各種のオーディオ、ビデオ機器等を接続することができる。例えば、チューナ機能を有するＳＴＢ（セットトップボックス）、録再ＤＶＤ装置等の記録装置や表示装置等も接続可能である。
【００１５】
図２は図３中の受信装置３２，３４の具体的な構成を示すブロック図である。受信装置３２，３４は、アナログ放送信号を受信する装置であってもよく、デジタル放送信号を受信する装置であってもよい。なお、図２では受信装置３２，３４がデジタル放送信号を受信する装置であるものとして説明する。
【００１６】
図２のアンテナ１１は図３のアンテナ３３，３５に相当する。アンテナ１１に誘起したデジタル放送信号は、チューナ１２に供給される。チューナ１２はユーザによって指定されたチャンネルを選局する。チューナ１２からの信号は復調部１３に与えられる。復調部１３は、放送局において行われた変調処理に対する復調処理を行う。例えば、復調部１３はＯＦＤＭ復調処理、ＰＳＫ復調処理等を行って、変調処理前のトランスポートストリーム（ＴＳ）に戻して出力する。
【００１７】
なお、図２の例では、チューナ１２及び復調部１３以外の回路部分は集積回路化されている。ＣＰＵ１５は、集積回路化された各部を制御すると共に、インタフェース（Ｉ／Ｆ）１７を介して、チューナ１２及び復調部１３を制御するようになっている。
【００１８】
ＴＳＤＭＵＸ１４は、入力されたトランスポートストリームをそのまま出力するか又は入力されたトランスポートストリームに複数のコンテンツが含まれている場合には、ユーザによって選択されたコンテンツを分離して出力する。集積回路化された回路部分においては、データはバス１９を介して転送される。ＣＰＵ１５は、ＴＳＤＭＵＸ１４からのストリームをメモリ１６に記憶させると共に、メモリ１６から読み出してＬＡＮ制御部１８に出力する。ＬＡＮ制御部１８は、ネットワークを構成するケーブル３６と集積回路化された回路内の各部とのインターフェースを司る。ＬＡＮ制御部１８は、ＬＡＮ規格のインターフェースであり、通信プロトコルとして例えばＴＣＰ／ＩＰプロトコルを採用して通信を行う。ＬＡＮ制御部１８は、集積回路内のデータをネットワーク上に送出すると共に、ケーブル３６に流れる自機宛のデータを集積回路内に取り込む。ＬＡＮ制御部１８は、ケーブル３６を介して自機宛に転送されたコマンドをＣＰＵ１５に供給すると共に、ＣＰＵ１５からのデータをケーブル３６を介して宛先に転送する。また、ＬＡＮ制御部１８は、メモリ１６から読み出されたトランスポートストリームをケーブル３６を介して宛先に転送するようになっている。
【００１９】
図１は図３中のコンテンツ再生装置３７の具体的な構成を示している。コンテンツ再生装置３７は、アナログ放送信号を再生する装置であってもよく、デジタル放送信号を再生する装置であってもよい。なお、図１ではコンテンツ再生装置３７がデジタル放送信号を再生する装置であるものとして説明する。
【００２０】
ＬＡＮ制御部２１は、ネットワークを構成するケーブル３６と集積回路化された回路内の各部とのインターフェースを司る。ＬＡＮ制御部２１は、ケーブル３６を介して転送されたデータをバス２０を介してＣＰＵ２２に供給すると共に、ＣＰＵ２２からバス２０を介して転送されたコマンドをケーブル３６を介して宛先に転送する。また、ＬＡＮ制御部２１は、ケーブル３６を介して転送されたトランスポートストリームをメモリ２６に転送して一旦記憶させるようになっている。
【００２１】
図１においてモニタ２５、アンプ３０及びスピーカ３１以外の回路部分は集積回路化されており、ＣＰＵ２２は集積回路化された各部を制御する。ＣＰＵ２２は、受信装置に対して、各種コマンドを発生すると共に、ＬＡＮ制御部２１からのトランスポートストリームをメモリ２６に格納させ、メモリ２６から読み出したトランスポートストリームをＴＳＤＭＵＸ２３に与える。なお、ＣＰＵ２２が発生するコマンドとしては、例えば、受信装置の電源をオンにさせるための起動コマンド、受信装置の状態を検出するためのコマンド、受信装置の受信チャンネルを制御するためのコマンド（チャンネル選局要求）等がある。
【００２２】
ＴＳＤＭＵＸ２３は入力されたトランスポートストリームを、映像データ及び音声データに分離する。これらの映像データ及び音声データは夫々ビデオデコーダ２８又はオーディオデコーダ２９に供給される。
【００２３】
ビデオデコーダ２８は、入力された映像データをデコードして、映像信号を映像処理部２４に出力する。映像処理部２４は入力された映像信号に対して、ＩＰ変換処理や画質調整処理等の各種映像処理を施した後、図３の表示装置３８に相当するモニタ２５に出力する。こうして、モニタ２５の表示画面上において、ユーザが指定したコンテンツが映出される。また、オーディオデコーダ２９は、入力された音声データをデコードして音声信号をアンプ３０に出力する。アンプ３０は入力された音声信号を増幅してスピーカ３１から音響出力させる。
【００２４】
本実施の形態においては、ＣＰＵ２２は、電源オフ時の受信チャンネルの情報及び電源オフ時においてコンテンツのストリームを取り込んでいた受信装置の情報を不揮発性メモリ２７に格納するようになっている。
【００２５】
図４は不揮発性メモリ２７に保持されている情報の内容を示す説明図である。不揮発性メモリ２７は、受信装置の物理（ＭＡＣ）アドレス及び受信チャンネルの情報を保持する。例えば、ＣＰＵ２２はチャンネル切り換えのためのコマンドを発生する毎に、そのコマンドの宛先である受信装置のＭＡＣアドレス及びそのコマンドの内容である受信チャンネルの情報を、不揮発性メモリ２７に記憶させる。これにより、不揮発性メモリ２７には、電源オフ時における受信チャンネル（ラストチャンネル）及びそのチャンネルのストリームを取り込む受信装置の情報が保持されることになる。
【００２６】
本実施の形態においては、ＣＰＵ２２は、電源投入直後において、不揮発性メモリ２７からの情報を読み出して、ラストチャンネル及びそのラストチャンネルを受信した受信装置を指定することができるようになっている。
【００２７】
次にこのように構成された実施の形態の動作について図５及び図６のタイミングチャートを参照して説明する。図５はコンテンツ再生装置の電源投入時に受信装置の電源がオンの場合の例を示している。図５の左側はコンテンツ再生装置の動作を示し、右側は受信装置の動作を示している。
【００２８】
いま、ケーブル３６に接続された受信装置及びコンテンツ再生装置３７の電源がオンであるものとする。コンテンツ再生装置３７は、ＣＰＵ２２によって、受信装置及び受信チャンネルを指定してコンテンツの再生が可能である。即ち、ＣＰＵ２２は、図示しない操作部によるユーザ操作に基づいて、受信装置及び受信チャンネルを決定する。ＣＰＵ２２は、決定した受信装置に対して受信チャンネルを指定するチャンネル選局要求を発生する。このチャンネル選局要求は、ＬＡＮ制御部２１からケーブル３６に送出される。
【００２９】
例えば、チャンネル選局要求の宛先として受信装置３２が指定されているものとする。この場合には、受信装置３２のＬＡＮ制御部１８は、ケーブル３６を介して伝送されたチャンネル選局要求を取り込んでＣＰＵ１５に出力する。これにより、ＣＰＵ１５は、Ｉ／Ｆ１７を介してチューナ１２を制御して、ユーザが指定したチャンネルを選局させる。チューナ１２は指定されたチャンネルを選局して出力する。復調部１３は復調処理によって指定されたコンテンツのトランスポートストリームを得る。このトランスポートストリームは、ＣＰＵ１５によって、メモリ１６に蓄積された後、ＬＡＮ制御部１８を介してコンテンツ再生装置３７に対して送出される。
【００３０】
コンテンツ再生装置３７はＬＡＮ制御部２１を介してコンテンツのストリームを取込み、メモリ２６に格納した後、ＴＳＤＭＵＸ２３にストリームを供給する。ＴＳＤＭＵＸ２３は、入力されたストリームから映像データ及び音声データを分離して、ビデオデコーダ２８及びオーディオデコーダ２９に出力する。ビデオデコーダ２８は入力された映像データをデコードし、オーディオデコーダ２９は入力された音声データをデコードする。
【００３１】
ビデオデコーダ２８からの映像信号はモニタ２５に供給され、オーディオデコーダ２９からの音声信号はアンプ３０を介してスピーカ３１に供給される。こうして、ユーザが希望するコンテンツの視聴が可能となる。
【００３２】
ここで、ユーザがチャンネル切換え操作を行うものとする。コンテンツ再生装置３７のＣＰＵ２２は、ユーザのチャンネル切換え操作が発生すると、指定されたチャンネルを選局するためにチャンネル選局要求を発生して、受信装置に送出する。本実施の形態においては、ＣＰＵ２２は、チャンネル切換え時に、不揮発性メモリ２７に記憶されている受信装置のＭＡＣアドレス及び電源オフ時の受信チャンネルの情報を更新する。
【００３３】
例えば、ユーザのチャンネル切換え操作によって、受信装置３４が指定されると共に、受信チャンネルとして「ＢＳ１１」が指定されるものとする。この場合には、ＣＰＵ２２は、受信装置３４に対してＢＳ１１を正極させるためのチャンネル選局要求を発生すると共に、不揮発性メモリ２７に受信装置３４のＭＡＣアドレス及び電源オフ時の受信チャンネルとしてＢＳ１１を記憶させる。
【００３４】
ＣＰＵ２２は、チャンネル切換え毎に、不揮発性メモリ２７の受信装置のＭＡＣアドレス及び電源オフ時の受信チャンネルの情報を更新する。これにより、不揮発性メモリ２７には、コンテンツ再生装置３７の電源オフ時において、受信していた受信装置のＭＡＣアドレス及びラストチャンネルの情報が保持されることになる。
【００３５】
なお、不揮発性メモリ２７には、電源オフ時におけるラストチャンネル及び受信機器のＭＡＣアドレスが保持されていれば良く、必ずしも、チャンネル切換え毎に受信チャンネル及び受信機器のＭＡＣアドレスの情報を更新する必要はない。
【００３６】
ここで、コンテンツ再生装置３７の電源がオフになるものとする。この場合でも、受信装置のＭＡＣアドレス及びラストチャンネルの情報は不揮発性メモリ２７内に保持されたままである。次に、コンテンツ再生装置３７の電源が投入されるものとする。コンテンツ再生装置３７のＣＰＵ２２は、起動直後において不揮発性メモリ２７の内容を読み出す。
【００３７】
ＣＰＵ２２は不揮発性メモリ２７に格納されている受信装置のＭＡＣアドレス及びラストチャンネルの情報を取得すると、不揮発性メモリ２７に登録されていた受信装置に対して電源の投入状態等の状態確認のためのコマンドを送出する。いま、当該受信装置の電源がオンであるものとすると、当該受信装置のＣＰＵ１５はＬＡＮ制御部１８を介して、電源が投入されて待機状態であることを示す応答を返す。
【００３８】
コンテンツ再生装置３７は、この応答によって、当該受信装置にラストチャンネルを選局させるためのチャンネル選局要求を発生する。このチャンネル選局要求は、当該受信装置を宛先として、ＬＡＮ制御部２１を介して、ケーブル３６に送出される。当該受信装置のＣＰＵ２２は、ＬＡＮ制御部１８を介してこのラストチャンネル選局要求を取込み、チューナ１２を制御して、ラストチャンネルを選局させる。選局されたチャンネルのストリームは、ＬＡＮ制御部１８を介してケーブル３６に送出され、ＬＡＮ制御部２１を介してコンテンツ再生装置３７に取り込まれる。
【００３９】
こうして、コンテンツ再生装置３７の電源投入直後においては、コンテンツ再生装置３７の電源オフ直前に視聴していたチャンネルと同一チャンネルのストリームが再生されて、モニタ２５及びスピーカ３１によって視聴可能となる。
【００４０】
このように本実施の形態においては、コンテンツ再生装置は、電源オフ時においてストリームを取り込んでいた受信装置及び受信チャンネルの情報を記憶しており、電源投入時において、記憶した受信装置に対してラストチャンネルの選局要求を自動的に発生するようになっている。これにより、ネットワーク上に複数の機器が存在する場合でも、コンテンツ再生装置は、電源投入時において、自動的にラストチャンネルの番組を視聴可能となる。
【００４１】
次に、図６を参照して受信装置の電源がオフの場合の例について説明する。本実施の形態においては、コンテンツ再生装置３７の電源投入時において、ストリームを取り込む対象の受信装置の電源がオフの場合には、当該受信装置の電源をオンにするための起動コマンドを発生するようになっている。
【００４２】
即ち、コンテンツ再生装置３７のＣＰＵ２２は、上述したように、電源投入時において、不揮発性メモリ２７に登録されていた受信装置に対して状態確認を行う。この状態確認に対して、当該受信装置からの応答が無いものとする。この場合には、ＣＰＵ２２は、当該受信装置を宛先として起動コマンドを発生する。この起動コマンドはＬＡＮ制御部２１を介してケーブル３６に送出され、当該受信装置のＬＡＮ制御部１８に取り込まれる。ＬＡＮ制御部１８は、起動コマンドを受信すると、図示しない電源装置を制御して、受信装置の電源をオンにする。これにより、受信装置が起動する。
【００４３】
なお、このように電源装置の電源をオンにする方法として、ネットワークインターフェースのＭＡＣアドレスを利用したＷａｋｅ  ｏｎ  Ｌａｎ等がある。
【００４４】
コンテンツ再生装置３７のＣＰＵ２２は、起動確認のためのデータを送信する。コンテンツ再生装置３７のＣＰＵ２２は、当該受信装置から応答があるまで、起動コマンドの送信及び確認を繰返す。当該受信装置から応答があると、コンテンツ再生装置３７のＣＰＵ２２は、ラストチャンネル選局要求を発生する。
【００４５】
以後の作用は図５の例と同様である。
【００４６】
このように本実施の形態においては、コンテンツ再生装置の電源投入時に、ストリームを取込む対象の受信装置の電源がオフの場合には、コンテンツ再生装置から起動コマンドを設定することにより、自動的に当該受信装置の電源をオンにすることができる。こうして、ユーザが煩雑な電源投入作業を行うことなく、コンテンツ再生装置の電源投入のみで、ラストチャンネルのコンテンツの視聴が可能である。
【００４７】
なお、上記実施の形態においては、ＬＡＮ規格のネットワークの例を説明したが、ネットワーク方式は限定されるものではなく、例えば、無線ＬＡＮ、ＩＥＥＥ１３９４、電話線、電灯線、無線等のデジタルデータを伝送する各種ネットワークに適用可能である。
【図面の簡単な説明】
【００４８】
【図１】本発明に係るコンテンツ再生装置の一実施の形態を示すブロック図。
【図２】図３中の受信装置３２，３４の具体的な構成を示すブロック図。
【図３】本実施の形態に係るコンテンツ再生装置を含むコンテンツ視聴システムの構成を示す説明図。
【図４】不揮発性メモリ２７に保持されている情報の内容を示す説明図。
【図５】実施の形態の動作を説明するためのタイミングチャート。
【図６】実施の形態の動作を説明するためのタイミングチャート。
【符号の説明】
【００４９】
２１…ＬＡＮ制御部、２２…ＣＰＵ、２３…ＴＳＤＭＵＸ、２７…不揮発性メモリ、２８…ビデオデコーダ、２９…オーディオデコーダ。
【図１】
2009124432.tif 000003
【図２】
2009124432.tif 000004
【図３】
2009124432.tif 000005
【図４】
2009124432.tif 000006
【図５】
2009124432.tif 000007
【図６】
2009124432.tif 000008